(57)【要約】【課題】【解決手段】  スプレー用のチャンバーは、スプレーシステム（７）と、換気システム（９）とを有する。前記スプレーシステム（７）は、圧縮器と、ユーザーの周囲３６０度に渡って頭から足指まで位置する固定式スプレージェット（１７）と、を含む。前記スプレーシステムは、スプレーモード（１７）及び乾燥モードで作動する。前記スプレーモードで、成分が前記スプレージェットを通して霧吹き状に前記ユーザーに吹き付けられる。前記乾燥モードで、空気が前記ジェットを通して吹き付けられる。前記スプレー用のチャンバーは、シャワースプレーも有する。前記リンスモードで、前記シャワースプレーから前記スプレー用のチャンバーを消毒するための塩素処理された水（２７）が放出される。前記換気システム（９）は、前記乾燥モードで空気および残余スプレー噴霧を換気ハウスへ引き込む動作をする排気ファン（４７）を含む。
2005510316.tif 000002
【特許請求の範囲】
【請求項１】
ユーザーに成分を適用するためのスプレー用のチャンバーであって、
ユーザーを取り囲む少なくとも１つの壁を有し、この少なくとも１つの壁がユーザーを受け入れるためのスプレーエリアを包含するようになっている囲い部（１５）と、
前記スプレーエリアを完全に囲むように配置され、前記スプレーエリアに関して固定された固定ノズル（１７）と、
前記固定ノズル（１７）を通して前記スプレーエリアに前記成分を直接送り出し、ユーザーを成分で完全にコーティングするために、前記スプレーエリア内で成分が重なり合うようなスプレーパターンを提供する圧縮器と、を有するものである。
【請求項２】
請求項１のスプレー用のチャンバーにおいて、前記圧縮器は、前記固定ノズル（１７）を通して前記成分を送出することを停止し、ユーザーを乾燥させるために、前記固定ノズル（１７）を通して空気を前記スプレーエリアに送出するものである。
【請求項３】
請求項１のスプレー用のチャンバーであって、このスプレー用のチャンバーは、さらに、リンス剤を放出するリンスノズルを有し、このリンスノズルは、前記固定ノズルを通して前記成分の放出が完了すると、前記スプレー用のチャンバーをリンスするものである。
【請求項４】
請求項１のスプレー用のチャンバーであって、このスプレー用のチャンバーは、さらに、空気と残留成分を前記スプレー用のチャンバーの外に排出する排気ファン（４７）を有する換気システムを有するものである。
【請求項５】
請求項４のスプレー用のチャンバーであって、前記換気システムは、さらに、空気が逆流するのを防ぐ空気ダム（４２）を有するものである。
【請求項６】
請求項４のスプレー用のチャンバーであって、前記換気システムは、さらに、残留成分を凝集させるフィルター（３９）を有するものである。
【請求項７】
請求項６のスプレー用のチャンバーにおいて、前記換気システムは、前記排気ファン及び前記フィルターを含むプレナム（４１）を有し、このプレナムは、前記フィルター（３９）を通して前記排気ファン（４７）によって引き込まれる空気及び残留成分を方向付けるものである。
【請求項８】
請求項４のスプレー用のチャンバーであって、このスプレー用のチャンバーは、さらに、凝集した残留成分を廃棄に送出するポンプを有するものである。
【請求項９】
請求項１のスプレー用のチャンバーにおいて、前記成分は、前記の固定式スプレーノズルを通して送り出され、ユーザーを１回の適用で完全にコーティングするものである。
【請求項１０】
請求項１のスプレー用のチャンバーにおいて、前記固定式スプレーノズルは、ユーザーが静止している状態で、ユーザーを完全にコーティングするものである。
【請求項１１】
請求項１のスプレー用のチャンバーにおいて、前記成分は、噴霧の形で前記固定式スプレーノズルから放出されるものである。
【請求項１２】
ユーザーに成分を適用するスプレー用のチャンバーであって、このスプレー用のチャンバーは、
ユーザーを受け入れるための、前部分と後部分と２つの側面部分とを有するスプレーエリアを定義する少なくとも１つの壁と、
前記スプレーエリアの周りに位置する固定ノズル（１７）と、
前記の固定ノズル（１７）を通して成分を直接にスプレーエリアに送り出し、前記スプレーエリアの前部分と、後部分と、２つの側面とで成分が重なり合うようにスプレーパターンを提供する圧縮器とを有し、
ここで、前記成分が前記固定ノズルを通して送り出される際、前記固定ノズルはスプレーエリアに対して固定されているものである。
【請求項１３】
請求項１２のスプレー用のチャンバーにおいて、前記圧縮器は、前記固定ノズルを通して前記成分を送出することを停止し、ユーザーを乾燥させるために、前記固定ノズルを通して空気を前記スプレーエリアに送出するものである。
【請求項１４】
請求項１２のスプレー用のチャンバーにおいて、前記スプレーエリアは、円状の形を有するものである。
【請求項１５】
請求項１２のスプレー用のチャンバーにおいて、前記固定ノズルは、実質的に水平に位置しているものである。
【請求項１６】
請求項１２のスプレー用のチャンバーにおいて、前記固定ノズルは、前記スプレーエリアの周りを囲む３つの垂直な支柱に沿って位置しているものである。
【請求項１７】
請求項１２のスプレー用のチャンバーにおいて、前記ユーザーは、前記囲い部の中に立つものである。
【請求項１８】
ユーザーに成分を適用するスプレー用のチャンバーであって、このスプレー用のチャンバーは、
ユーザーを受け入れるためのスプレーエリアと、
前記スプレーエリアで前記成分を吹き付けて、ユーザーの少なくとも一部分を成分でコーティングするスプレーノズル（１７）と、
前記のスプレー用のチャンバーに接続している吸気口及び前記のスプレー用のチャンバーに接続している排気口を有するプレナム（４１）と、
前記吸気口を通して前記スプレー用のチャンバーから入ってくる空気及び残留成分を引き込み、前記排気口を通して前記スプレー用のチャンバーに戻すための空気の流れを作成する排気ファン（４７）と、を有し、
これによって前記プレナムは残余の成分を凝集するものである。
【請求項１９】
請求項１８のスプレー用のチャンバーであって、このスプレー用のチャンバーは、さらに、前記プレナム内で空気の流れが逆流するのを防ぐため、前記プレナム内に取り付けられた空気ダムを有するものである。
【請求項２０】
請求項１８のスプレー用のチャンバーにおいて、前記プレナムは、フィルターを有さず、それによって前期プレナムは前記プレナムを通る前記空気の流れの抵抗を最小限にするものである。
【請求項２１】
請求項１８のスプレー用のチャンバーであって、このスプレー用のチャンバーは、さらに、液体を有する受け皿を有し、前記液体は残留成分を凝集するものである。
【請求項２２】
請求項２１のスプレー用のチャンバーにおいて、前記換気システムは、前記排気口からの空気の流れを前記受け皿の方向に向けるものでる。
【発明の詳細な説明】
【技術分野】
【０００１】
この出願は、２００１年１１月２１日提出の仮出願第６０／３３１,７１５号に対して優先権を主張する２００２年１月８日提出のアメリカ合衆国特許出願第１０／０３８,８５６号の一部継続出願である。
【背景技術】
【０００２】
日焼けブースは日焼けランプと共に進歩してきたので、ユーザーは一年中、気候条件にかかわらず日焼けを得てそれを維持することができる。日焼けブースは健康的で且つ効果的であることが証明されており、連邦ガイドラインが制定されることで日焼けブースの安全性が継続して確保されている。日焼けブースの人気が増加すると共に、日焼けブースの技術は継続的に向上している。
【０００３】
さらに、人間の身体を成分でコーティングするためのシステムが開発されてきた。これらのコーティングシステムは、例えば、ローリンのアメリカ合衆国特許第６,３０５,３８４号、第６,２９８,８６２号、第６,２５１,３７４号、第６,１９９,５５７号及び第５,９２２,３３３号に開示されている。通常のコーティング成分としては、例えば、セルフタンニング調剤、日焼けローション、皮膚トーナー、皮膚漂白剤、スキンライトナー、剥離剤、滋養物、ビタミン、マッサージエイド、筋肉弛緩剤、皮膚治療剤、火傷治療剤、汚染浄化剤、化粧品、皺治療または皺取り、保湿剤、防腐剤、抗菌剤、シックナ−、溶剤、乳化剤、香料、安定剤、日焼け止め剤、界面活性剤、ＰＨ調整剤、固結防止剤、色反応を変更する成分、またはオイルが含まれる。
【０００４】
従来システムの欠点の１つは、可動部品を必要とすることであり、ユーザーがこれらの部品と接触すると、ユーザーが怪我をする恐れがあることである。従来のコーティングシステムのもう１つの欠点は、成分を完全にコーティングするためには、ユーザーが回転する必要があることである。このような身体移動の最中にユーザーがスプレーシステムの突出部と接触した場合、またはユーザーがバランスを失った場合、ユーザーが怪我をする恐れがある。
【０００５】
空中には前記成分が存在するため、成分の塗布中はユーザーが目を閉じることが多いので、身体移動は特に危険である。また、成分の完全な塗布を行うためにユーザーが回転しなければならないことに加えて、従来のコーティングシステムは動作が遅い上に、複数回のスプレー塗布（例、前面及び背中の塗布）を必要とする。さらに、従来のシステムのもう１つの欠点は、前記スプレー用のチャンバーからその周囲(特にサロン)に噴霧が漏れてしまうことである。
【０００６】
従来のシステムのもう１つの欠点は、前記スプレーが完了した後に、前記ブースから前記噴霧を排出することが難しいことである。フィルターを使用すると空気循環を阻害し、前記スプレーブースから噴霧を除去する速度を遅らせることになり得る。
【発明の開示】
【発明が解決しようとする課題】
【０００７】
従って、本発明の主要な目的は、ユーザーを成分でコーティングし、且つ、スプレーが一旦完了したら迅速に噴霧の残留を排出ことができるスプレーブースを提供することである。本発明のもう１つの目的は、ユーザーを成分でコーティングするチャンバーを有するブースを提供することである。本発明のもう１つの主要な目的は完全且つ均一な成分コーティングを達成するために、可動部品を必要としないスプレー用のチャンバーを提供することである。本発明のもう１つの目的は、１回のスプレー塗布で完全且つ均一な成分コーティングを提供できるスプレー用のチャンバーを提供することである。本発明のもう１つの目的は、ユーザーのスプレーが完了した後に、スプレー用のチャンバーからスプレー噴霧の残留を除去する排気システムを含むスプレー用のチャンバーを提供することである。さらに本発明のもう１つの目的は、使用後の度にチャンバーを消毒するスプレーシステムを備えたスプレー用のチャンバーを提供することである。
【０００８】
これら及びその他の目的に従って、本発明は、スプレーシステムと換気システムとを有するスプレー用のチャンバーである。前記スプレーシステムは、圧縮器と、ユーザーの周囲３６０度に渡って頭から足指までに位置する固定式スプレージェットと、を有する。前記圧縮器は、スプレーモード及び乾燥モードで作動する。前記スプレーモードでは、前記圧縮器はスプレージェットを通してユーザーに成分を、噴霧の形で吹き付ける。前記乾燥モードでは、空気がジェットを通して吹き出し、ユーザーを乾燥させる。前記スプレー用のチャンバーには、シャワースプレーノズルも備わっており、リンスモードでは、そこから塩素処理水を放出して前記スプレー用のチャンバーを清掃する。前記換気システムには、前記乾燥モードで作動して、空気及びスプレー噴霧の残留を換気ハウスまたはプレナムに取り込む排気ファンが含まれている。前記スプレーはフィルターにかけられて液滴になり、排水ポンプによって吸い上げられ、液滴は廃棄物として下水システムに流れる。
【発明を実施するための最良の形態】
【０００９】
図面に示した本発明の好ましい実施形態を説明するに当たって、明確さの目的で特定の用語に頼るものとする。しかし、本発明はそのように選択された前記特定の用語に限定されるものではなく、各特定の用語は、同様の目的で達成するために同じような方法で作動するすべての技術的同等物を含むと理解されるべきである。
【００１０】
図面を参照すると、図１は更衣室１０とスプレー用のチャンバー１５とを有する本発明のブース５を示している。ユーザーは一般に、更衣室１０の壁の１つにあるドア（図示せず）を通って前記ブース５に入る。前記更衣室１０は一般に、前記ユーザーがスプレー用のチャンバー１５から出た後の着衣及び前記スプレー用のチャンバー１５に入る前の脱衣のためのプライバシーを提供する更衣場所である。室内ドアで前記更衣室１０と前記スプレー用のチャンバー１５が分離されており、ユーザーはそこを通って出入りできる。前記ブース５は、本明細書によって参照により組み込まれる、２００１年４月１８日に提出されたアメリカ合衆国特許出願第０９／８３６,５４３号に従って構築することができる。
【００１１】
前記スプレー用のチャンバー１５は、スプレーシステム７（図２）及び換気システム９（図５）を有する。前記スプレーシステム７は、ユーザーに成分の完全且つ均一な塗布を提供する。前記スプレーシステム７は、できれば前記換気システム９と一緒に設置されることが望ましいが、前記スプレーシステム７と前記換気システム９は、単独に使用できる別個のシステムである。
【００１２】
図２及び図３は、前記固定式スプレーノズルまたはジェット１７が前記スプレー用のチャンバー１５内に位置する好ましい形態である。前記スプレージェット１７は、３列の３ジェットと、別の室壁パネルに２つの余分ジェット１７との合計１１個のスプレージェット１７が位置することが望ましい。各列は、前記スプレー用のチャンバー１５の壁パネルに垂直に位置する。前記ジェット１７は、ユーザーに１回の処理で成分の完全且つ均一な塗布を提供できるように配置されており、このため、ユーザーの周囲３６０度に亘って位置している。
【００１３】
前記ジェット１７は、ユーザーの上半身、胴体、下半身をそれぞれカバーするように上段、中段、及び下段を形成している。前記２つの余分なジェット１７は、ユーザーの下半身をより良くカバーするために下段に備えられている。しかし、当然のことながら、どのような適切な数及び位置でジェット１７が備えられても良く、このジェット１７は必ずしも垂直方向または水平方向に互いに整列している必要はない。
【００１４】
図２は、スプレージェット１７と、コントローラー３１と、チューブ３３と、空気圧縮器３５とを有する前記スプレーシステム７を示している。前記圧縮器３５は、第１のチューブ３３を通して前記コントローラー３１に圧縮空気を提供する。前記圧縮器３５は、第２のチューブ３３を通して前記ローションを前記ノズル１７に送り出し、ここで、前記第１チューブが空気をローションと混合し、前記ノズル１７を通して噴霧の形でローションを放出する。前記第１チューブ３３の圧縮空気は、前記ノズル接続部１７の側面に接続して示されており、前記第２チューブのローションは前記ノズル接続部１７の下部に接続して示されている。第３のチューブも圧縮空気を含んでおり、乾燥モードの際には、前記ノズル１７を通してそれだけで（すなわち、ローションなしで）放出され、ユーザーを乾燥させ、また前記ノズル１７からローション或いはその他の閉塞物を除去する。前記第３のチューブ３３はノズル接続部１７の上部に接続されているのが示されている。
【００１５】
前記スプレーシステム７は、スプレーモード及び乾燥モードで作動する。このスプレーモードでは、前記圧縮器３５が、好ましくはスプレー用のチャンバー１５の上に位置するタンク２３（図４）から前記成分を、前記ネオプレンチューブ３３を通して、スプレージェット１７に送出する。図４では、成分が前記スプレー用のチャンバー１５内の前記ジェット１７から噴霧またはスプレー１９の形で放出されているのが示されている。前記ジェット１７では、前記成分を均一且つ完全に塗布できるので、ユーザーが前記スプレー用のチャンバー１５で回転したり移動したりする必要はない。前記圧縮器３５では、塗布する成分のタイプと、ユーザーの背丈及びサイズとに基づいて動作が調整される。けれども、好ましくは、各ジェット１７で前記圧縮機が加える圧力は約７〜１１ｐｓｉで、スプレーの長さは約４〜１０秒間である。好ましくは、前記成分は、噴霧として１回のみ適用される。
【００１６】
前記スプレーシステム７では、追加の排気または乾燥モードにおいても作動する。前記圧縮器が前記スプレージェット１７を通して空気を送り出し、ユーザーを乾燥させる。前記乾燥モードは約４０秒間継続するが、この長さはユーザーによって調節できる。前記スプレーモードの後に前記乾燥モードが起動し、その後に前記リンスモードが続くことが望ましい。
【００１７】
前記スプレー用のチャンバー１５は、前記スプレー用のチャンバー１５の天井に位置している（図４）シャワータイプのノズル２７を有する。前記乾燥モードの後、前記スプレー用のチャンバー１５はオプションとしてリンスモードに入ることができる。前記リンスモードでは、塩化処理または消毒された水が前記シャワータイプのノズル２７を通過して、前記スプレー用のチャンバー１５を清掃する。
【００１８】
本発明を実施するための好ましい形態に従って、前記スプレーシステム７は最初に前記スプレーモードによって成分を塗布し、それに前記乾燥モード及び前記リンスモードが続く。しかし、前記モードは任意の順序で起動でき、また前記スプレーシステム７は、一人のユーザーに対して、スプレー、乾燥、或いはスプレー、乾燥、リンスのサイクルを複数回実行できる。さらに、前記さまざまなモードの順序は、ユーザーの肌のタイプ、ユーザーが望む日焼けなどのさまざまな変化する要素に基づいて変更できる。システムは、例えば、スプレー、スプレー、乾燥、リンス、のような順序で作動できる。
【００１９】
さらに図４に示すように、前記スプレー用のチャンバー１５はハウジング４１を有する。前記ハウジング４１は、前記ブース１５の外部に位置する前記チューブ３３を内包し、また図５でさらに詳細に示す換気システム９を有する。前記換気システム９は、ハウジング４１と、排気ファン４７と、排水ポンプ２５とを含む。重要なことは、ハウジング４１が容器内の空気圧が外気圧より高い状態（プレナム）を形成し、前記排気ファン４７から前記スプレー用のチャンバー１５の底までの空気とスプレーの流れを方向付けることである。
【００２０】
前記ハウジング４１は、フィルターホルダー４３及びフィルターストップ４４によって支えられる斜めに位置する２つのフィルター３９を有する。前記ファン４７は、空気及びスプレー１９を前記スプレー用のチャンバーの内部から前記プレナム４１に、そしてプレナムハウジング４１に沿って下方向へ取り込む。前記空気及びスプレー１９がフィルター３９を通り抜け、そこで前記スプレー噴霧は液滴に凝集される。液滴と空気は排水ポンプ２５(図４)によって、廃棄物として下水管に吸い込まれる。余分な成分と水は、前記スプレー用のチャンバー１５の床部の開口部から出て行き、前記排水ポンプ２５がこの廃棄物を下水管に引き入れる。
【００２１】
空気ダム４２が長方形の開口部と共に提供される。前記ファン４７が長方形の開口部から空気を吹き込み、そして前記空気ダム４２は前記ファン及び前記スプレー用のチャンバーの内部にローション噴霧が逆に還流するのを防ぐ。前記フィルター３９の前端にそらせ板のプレート４５が位置し、噴霧を前記フィルター３９の方にそらす。ファンカバー４９が前記ファン４７を保護して、空気の流れを前記空気ダム４２に向ける。前記ファン４７は、噴霧による破損を避けるためにモーターチャンバー４８の内部に密閉されているモーターによって作動する。
【００２２】
前記ファン４７及びモーターは図８にその詳細が示されている。前記ファン４７は、前記空気ダム４２の前記長方形の開口部を通して空気を送出するための、長尺なプロペラ部材が平行に並べられている。前記モーターは、前記モーターチャンバー４８の細長い開口部を通して外部の空気を取り入れるファンによって冷却される(図５参照)。前記モーターは、チャンバーの壁４６によって前記モーターチャンバー４８に密閉され、この壁は前記モーターを前記ファン４７から隔離するが、前記モーターが前記ファン４７を作動することを許容する。
【００２３】
図６及び図７に示すように、前記プレナムハウジング４１は、前記スプレー用のチャンバー１５の壁パネルの外側に沿って位置する。前記壁パネルは換気口２１を有し、前記排気ファン４７で空気及び残余の噴霧を前記プレナム４１に取り入れることを可能にする。前記スプレー用のチャンバー１５は、フレームの上に位置する床部と床部下の受け皿（ｂａｓｉｎ）２６を有する。余分なローション及び水は、前記チャンバーの床にある排水路を通って、前記受け皿２６に行き、そこで排水ポンプ２５によって廃棄に送られる。さらに、前記プレナム４１によって凝集された噴霧は前記壁パネルの開口部を通って、プレナム４１の底から出て前記受け皿２６に出て行く。しかし、前記プレナム４１の設定を変更して、前記凝集した噴霧を前記受け皿２６に直接に行くようにすることもできる。
【００２４】
前記排気ファン４７は、前記乾燥モードで起動され、前記スプレーモード中にスプレー１９の使い残した成分の残余を取り除く。前記排気ファン４７は、前記スプレー用のチャンバー１５の上方に向いて位置し、空気とスプレー１９を取り込んでスプレー１９の上方向ヘの循環を生成し、成分のユーザーへの完全な塗布をさらに促進する。空気が下方向へ循環されてしまうと、成分スプレー１９によるユーザーのカバーが不完全になる恐れがある。
【００２５】
図６の好ましい実施形態に従って、５つのプレナムが前記スプレー用のチャンバー１５の回りの各外壁パネルに１つずつ提供され、好ましい数で使用される。前記換気システムは、ローションスプレーを３０秒以間放出できる。前記換気システムと前記スプレー用のチャンバー１５は密閉されているので、噴霧は前記スプレー用のチャンバー１５の外に出て行かない。また、加熱と冷却ユニットを備えて、ユーザーが成分そして／または空気の温度を調節できるようにしてもよい。
【００２６】
本発明では、ブース５は更衣室１０及びスプレー用のチャンバー１５を有するものとして説明してきた。しかし、前記スプレー用のチャンバー１５が別の更衣室１０と接続している必要はない。従って、前記スプレー用のチャンバー１５は個人にコーティングを施す専用室であってもよい。怪我または症状の治療用に医療品を塗布するように使用することもでき、例えば、火傷を治療するために火傷ローションを塗布するなどのように使用できる。
【００２７】
前記スプレー用のチャンバー１５は、水及びスプレーが漏れないように密閉されている。コントロールパネル２９が提供されており、ユーザーが前記換気システム９及びスプレーシステム７運転を制御することを許容し、同様に更衣室の照明などその他の装置の運転を制御することを許容するする。
【００２８】
さらに、本発明を実施するための好ましい形態に従って、前記フィルター３９と、そらし板４５と、フィルターホルダー４３と、フィルターストップ４４とが前記プレナム４１から取り除かれる。それ故、残余の噴霧は、前記ファン４７によって前記プレナム４１に吸い込まれ、直ちにそこを通り抜けて、プレナム４１の底から出て行く。前記噴霧がプレナム４１を通る際に、前記噴霧の一部は前記プレナム４１の壁の上に凝集する。前記凝集した噴霧は前記プレナム４１を出て、前記ブースの換気を通り抜け、前記床部の開口部を通って受け皿２６に至る。上述したように、前記プレナム４１の設定を替えて、凝集した噴霧が前記プレナム４１から前記受け皿２６に直接至るようにすることもできる。
【００２９】
前記フィルター３９を除去することにより、前記プレナム４１を通る空気と噴霧の流れへの抵抗は最小限となる。それ故、前記プレナム４１を通る前記空気と噴霧の流れはより早くなり、前記ブースから噴霧が前記ファン４７によって排出され、凝集して破棄される速度が最大化される。さらに、前記ブースの中での噴霧の凝集をさらに助成するために前記受け皿２６に水が保存される。噴霧は前記水と接触すると凝集し、前記排水路を通って出て行き、前記排水ポンプ２５を経て廃棄に至る。この目的のために、約半インチの水を前記受け皿２６に維持しておくことが望ましい。さらに、前記プレナム４１からの空気の出口を床部の方に向けて、残余の噴霧の流れが前記受け皿２６の水の方に向かうようにしてもよい。
【００３０】
当然のことながら、空気の流れへの干渉を最小限に抑えながら、噴霧の凝集を助ける適切な形に前記プレナム４１を設定することができる。例えば、前記そらせ板４５を前記プレナム４１に保持することによって、噴霧が接触する表面を増やし、前記噴霧の凝集を増加させることができる。
【００３１】
前記の説明及び図面は、本発明の原則の単なる例示的なものと見なされるべきである。本発明の構成は、本発明を実施するための前記好ましい形態によって限定されるべきものではない。本発明のさまざまな応用は当業者にとって、容易に気付くものである。従って、本発明は開示された特定の例または表示及び説明した正確な構造及び操作に限定されるものではない。むしろ、本発明の範囲に入る限り、すべての好ましい修正及び均等物等に頼るものとする。
【図面の簡単な説明】
【００３２】
【図１】図１は、本発明を実施する最良の形態に従ったブースの透視図である。
【図２】図２は、図１のスプレー用のチャンバーで使用されるスプレーシステムを示している。
【図３】図３は、図１のスプレー用のチャンバー内のスプレージェット位置を示している。
【図４】図４は、作動中のスプレー用のチャンバーを示している。
【図５】図５は、換気ハウスの透視図である。
【図６】図６は、ブースの上辺断面図で、換気ハウスを示している。
【図７】図７は、ブースの拡大図である。
【図８】図８は、図５の換気ハウスで使用されるファンとモーターの前面図である。
【図１】
2005510316.tif 000003
【図２】
2005510316.tif 000004
【図３】
2005510316.tif 000005
【図４】
2005510316.tif 000006
【図５】
2005510316.tif 000007
【図６】
2005510316.tif 000008
【図７】
2005510316.tif 000009
【図８】
2005510316.tif 000010
【国際調査報告】
2005510316.tif 000011